(57)【要約】【課題】  多層からなる枕であってもクッション性を損なうことなく枕の変形を抑えることができる枕を提供する。【解決手段】  枕１は表地１０と裏地２０の間に異なる部材からなる層１１、１２、１３、１４、１６、１７、１８、１９が形成されている。枕１の層の真中の位置に支持層１５を設け、支持層１５には、枕の長辺に並行に硬度を有する複数本の支持棒１５０が配置されている。枕の硬度を有する支持層が枕の中心に位置し、その上下を複数の層で覆っているので、支持棒１５０の硬さを使用者が感じることはない。【選択図】図１
0003150773.tif 000002
【実用新案登録請求の範囲】
【請求項１】
表地と裏地との間に複数の層を有する枕であって、
枕の長辺の長さより短い長さを有する複数の支持材と、
枕の長辺と水平の方向に前記複数の支持材を封入する支持層とを備え、
前記支持層が前記複数の層の略真中の層に位置することを特徴とする枕。
【請求項２】
前記支持材はポリプロピレンであることを特徴とする請求項１記載の枕
【請求項３】
前記枕の長辺を底辺として略二等辺三角形にセラミックボールが配置される発砲ウレタンからなる層を備えることを特徴とする請求項１又は請求項２記載の枕。
【考案の詳細な説明】
【技術分野】
【０００１】
本考案は、様々な種類の素材からなる複数の層を有する枕に関するものである。
【背景技術】
【０００２】
人間の睡眠に用いられる枕は一定の高さが必要である。しかしながら、枕は使用しているうちに、頭の重みで、窪んだりして変形してくる。異なる素材を組合せた多層からなる枕があるが、多層になると変形の度合いが大きくなる。
【０００３】
実開平６−５２６４１号に記載の枕は、枕内部に分離帯を設け、内部のクッション材（充填材）を分離してクッション材が偏らないようしている。しかしながら、分離帯が高さ方向に複数本設けられているので、頭をのせたときに分離帯に触れ、硬さを感じたり、違和感を覚える場合がある。
【先行技術文献】
【特許文献】
【０００４】
【特許文献１】実開平６−５２６４１号公報
【考案の概要】
【考案が解決しようとする課題】
【０００５】
本考案の課題は、様々な種類の素材を用いる複数の層からなる枕であってもクッション性を保ったまま変形を抑えることができる枕を提供することである。
【課題を解決するための手段】
【０００６】
本考案は、表地と裏地との間に複数の層を有する枕であって、枕の長辺の長さより短い長さを有する複数の支持材と、枕の長辺と水平の方向に複数の支持材を封入する支持層とを備え、支持層が複数の層の略真中の層に位置する。
【０００７】
ここで、支持材がポリプロピレンであることが望ましい。また、枕の長辺を底辺として略二等辺三角形にセラミックボールが配置される発泡ウレタンからなる層を備えてもよい。
【０００８】
このように、本考案の枕は、多数層からなる枕の略真中に支持層を設けているので、頭を枕にのせたとき、硬さを感じたり、違和感を覚えることなく、優れたクッション性を維持しながら枕の変形を防止することができる。
【０００９】
また、セラミックボールを用いる場合、セラミックボールを略二等辺三角形に配置することにより、枕の頭を置く位置を網羅することができるので、より効率的にセラミックボールを利用することができる。
【考案の効果】
【００１０】
本考案の枕は、多数層からなる枕の略真中に支持層が設けられているので、優れたクッション性を有し、且つ、枕の変形を防止することができる。
【図面の簡単な説明】
【００１１】
【図１】図１は本考案の実施例の枕を示す断面図である。
【図２】図２は実施例の枕の支持層を示す上面図である。
【図３】図３は実施例の枕のセラミックボールを含む発砲ウレタンの層を示す上面図である。
【考案を実施するための形態】
【００１２】
以下に本考案の枕の実施例を図面を用いて説明する。図１は本考案の実施例の枕の断面図である。図２は実施例の枕の支持層の上面図である。実施例では、多層からなる枕の一例として、各層に用いられる材料を示しているが、層の数や材料はこれに限定されず、本考案の枕は様々な種類の多層枕に適用することができる。
【実施例１】
【００１３】
図１に示すように枕１は、表地１０と裏地２０の間に、順にポリエステルわたの層１１と、発砲ウレタンの層１２と、ポリエステルわたの層１３と、ポリエステル生地の層１４と、支持層１５と、ポリエステル生地の層１６と、ポリエステルわたの層１７と、発泡ウレタンの層１８と、ポリエステルわたの層１９を備えている。ここで、発泡ウレタンの層１２には、セラミックボール１２０を入れる孔が設けられ、所定の個数のセラミックボール１２０が内部に配置される。
【００１４】
また、支持層１５は支持部本体１５２とそれを挟みこむ支持部１５３を有する。ここで、支持部１５３には、PPパイプ、粒ビーズ、発砲スチロール球等の充填材が詰められる。図２に示すように、支持部本体１５２は、枕の長辺と水平の方向にポリプロピレンからなる支持棒１５０が７本並列に配置され、各支持棒１５０の両端には端部の保護材としてポリエチレンチューブ１５１を取り付けている。各支持棒１５０を枕内部に固定するために、枕の短辺に相当する辺が開口している輪型のポリエステル生地を枕の長辺方向と水平に６回縫い、７つの袋を形成する。そして、各袋内部に支持棒１５０を入れてポリエステル生地の短辺を縫い、支持棒１５０を封入して固定する。
【００１５】
ここで、支持棒１５０の部材としてポリプロピレンを用いたが、人間の頭を支える程度の硬さがあれば高密度ポリエチレンなど他の材料を使用することができる。また、支持材として支持棒１５０を用いたが、形状は棒状に限らず板状や柱状でもよく、また、支持棒の太さや硬度により、使用する本数を増減することができる。
【００１６】
このように枕内部に支持層１５を設けて、硬度を有するポリプロピレンを７本用い、その上下に４つの層が積み重なっているので、枕の使用者には支持棒の硬さが直接伝わることがなく、クッション性が損なわれることはない。
【００１７】
図３は実施例の枕のセラミックボールを含む発砲ウレタンの層の上面図である。枕１の発砲ウレタンの層１２には、消臭効果とマイナスイオンや遠赤外線効果があるセラミックボール１２０が挿入されているが、図３に示すように、枕の長辺を底辺として、略二等辺三角形にセラミックボール１２０を配置する。これは枕に頭を置く位置に相当するので、セラミックボールを効率的に配置することができる。なお、セラミックボールを用いているが、セラミックは球形に限らず、他の形状のものを用いてもよい。
【００１８】
以上本考案の枕の実施例を説明したが、本考案の枕は上述の実施例に限定されることはなく、様々に変形可能である。例えば、支持棒１５０を湾曲させて、頭を置く側に湾曲部がくるように並べて、所望の形を形成してもよい。また、支持棒１５０を封入するために、布を縫って袋状にしたものを用いたが、予め所定の空間を有する袋や筒等を並べて互いに連結させてもよい。
【００１９】
また、支持棒１５０が支持層１５内部で移動しない程度に固定されればよいので、支持棒１５０を１本ずつ袋に封入せずに、布地に糸などで直接取り付けてもよい。
【符号の説明】
【００２０】
１  枕
１０  表地
１１、１９  ポリエステルわたの層
１２、１８  発砲ウレタンの層
１３、１７  ポリエステルわたの層
１４、１６  ポリエステル生地の層
１５  支持層
２０  裏地
１２０  セラミックボール
１５０  支持棒
１５１  ポリエチレンチューブ
１５２  支持部本体
１５３  支持部
【図１】
0003150773.tif 000003
【図２】
0003150773.tif 000004
【図３】
0003150773.tif 000005
【手続補正書】
【提出日】平成21年3月19日(2009.3.19)
【手続補正１】
【補正対象書類名】実用新案登録請求の範囲
【補正対象項目名】請求項１
【補正方法】変更
【補正の内容】
【請求項１】
表地と裏地との間に前記裏地から前記表地の方向に積層する複数の層を有する枕であって、
前記枕の長辺の長さより短い長さを有する複数の支持材と、
前記枕の長辺と略並行に前記複数の支持材を封入する支持層とを備え、
前記支持層が前記複数の層の略真中の層に位置することを特徴とする枕。
【手続補正２】
【補正対象書類名】明細書
【補正対象項目名】０００６
【補正方法】変更
【補正の内容】
【０００６】
本考案は、表地と裏地との間に前記裏地から前記表地の方向に積層する複数の層を有する枕であって、枕の長辺の長さより短い長さを有する複数の支持材と、枕の長辺と略並行に複数の支持材を封入する支持層とを備え、支持層が複数の層の略真中の層に位置する。
【手続補正３】
【補正対象書類名】明細書
【補正対象項目名】００１４
【補正方法】変更
【補正の内容】
【００１４】
また、支持層１５は支持部本体１５２とそれを挟みこむ支持部１５３を有する。ここで、支持部１５３には、PPパイプ、粒ビーズ、発砲スチロール球等の充填材が詰められる。図２に示すように、支持部本体１５２は、枕の長辺と略並行にポリプロピレンからなる支持棒１５０が７本並列に配置され、各支持棒１５０の両端には端部の保護材としてポリエチレンチューブ１５１を取り付けている。各支持棒１５０を枕内部に固定するために、枕の短辺に相当する辺が開口している輪型のポリエステル生地を枕の長辺方向と並行に６回縫い、７つの袋を形成する。そして、各袋内部に支持棒１５０を入れてポリエステル生地の短辺を縫い、支持棒１５０を封入して固定する。